(57)【要約】  【課題】  再圧タンク内などの酸素濃度の高い高気圧環境下において、商用電力を使用して液晶テレビやパソコン用ディスプレイなどの表示装置を使用する方法を提供する。  【解決手段】  高気圧環境下において、商用電力を使用して液晶テレビやパソコンディスプレイなどの主に表示装置２２を使用する方法であって、表示装置２２を、その画面が見える透明板３を備え、透明又は透明に近い絶縁性液体を充填した容器１内に全没して絶縁性液体の充填注入部９ａを閉鎖し、容器１内に電源ケーブル１１を導入してその導入部１０を密閉構造にして表示装置２２に商用電力を供給するようにしている。【選択図】      図１
2010145779.tif 000002
【特許請求の範囲】
【請求項１】
高気圧環境下において、商用電力を使用して液晶テレビやパソコン用ディスプレイなどの主に表示装置を使用する方法であって、
前記表示装置を、その画面が見える透明板を備え、透明又は透明に近い絶縁性液体を充填した容器内に全没して前記絶縁性液体の充填注入部を閉鎖するとともに、前記容器内に電源ケーブルを導入してその導入部を密封構造にして前記表示装置に商用電力を供給することを特徴とする高気圧環境下での表示装置使用方法。
【請求項２】
前記表示装置が液晶テレビまたはパソコン用ディスプレイからなることを特徴とする請求項１に記載の高気圧環境下での表示装置使用方法。
【請求項３】
前記容器は樹脂製または金属製の密閉構造からなる持ち運びが可能な容器で、その上面または上端面に外部との連通路を有することを特徴とする請求項１または請求項２に記載の高気圧環境下での表示装置使用方法。
【請求項４】
前記容器の一部をフレキシブルに変形可能な構造にするか、あるいは前記容器にフレキシブルに変形可能な中空体を接続するかしたことを特徴とする請求項１〜３のいずれかに記載の高気圧環境下での表示装置使用方法。
【請求項５】
前記高気圧環境下が高気圧酸素治療用タンク内に形成されることを特徴とする請求項１〜４のいずれかに記載の高気圧環境下での表示装置使用方法。
【請求項６】
前記容器内への商用電力やテレビ信号などの供給を、前記電源ケーブルやアンテナケーブルやフィーダ線を含むケーブル類を貫通金物またはコネクタを介して前記容器内に導入することにより行うことを特徴とする請求項１〜５のいずれかに記載の高気圧環境下での表示装置使用方法。
【請求項７】
高気圧環境下において、商用電力を使用して液晶テレビやパソコン用ディスプレイなどの主に表示装置を使用する表示装置使用方法を実施するための表示装置用容器で、
箱形容器の正面がほぼ全面にわたり透明板から形成され、その反対側の背面または側面あるいは上面のいずれかが前記表示装置を容器本体内に収容可能な開放部からなり、この開放部には密閉可能な蓋板を開閉可能または着脱可能に備え、
前記容器の上面または上端部に絶縁性液体の注入孔を設け、この注入孔には外部連通用小孔を設けた開閉キャップを開閉可能に取り付け、
前記容器の適所に電源ケーブル、アンテナケーブルその他のケーブル類を内部に導入するための貫通金物あるいは前記ケーブル類接続用コネクタを装着し、
前記容器の一部をフレキシブルに変形可能な構造にするか、あるいは前記容器にフレキシブルに変形可能な中空体を接続するかしたことを特徴とする表示装置用容器。
【発明の詳細な説明】
【技術分野】
【０００１】
本発明は、主に、潜水病あるいは減圧症と称されている病気の治療に用いられている高気圧酸素治療用の高気圧チャンバーもしくは再圧タンク内の、特に酸素濃度が高い高気圧環境下において、商用電力(交流１００Ｖ）を使用して液晶テレビやパソコン用ディスプレイなどの主に表示装置を使用する方法と、その使用方法を実施するための表示装置用容器に関する。ここで、主に表示装置を使用するとは、表示装置以外の電気機器、例えばパソコン本体、事務機または家電および通信機器、計測機器など交流１００Ｖを使用する電気機器を含むという意味である。
【背景技術】
【０００２】
上記の高気圧酸素治療は、大気圧に比べてかなり気圧の高い(例えば、４気圧〜５気圧)高気圧環境下で、高濃度の酸素を患者に吸入させることにより患者自身の治癒力を向上することができる。このような高圧酸素治療を行えば、潜水病(減圧症）で起こる酸素や窒素が血液中に溶け込んで発生する気泡を消失させられる。ダイバーが海中の深くまで潜った状態から海面上に浮上する速度が速すぎると、血液中にある酸素もしくは窒素の気泡が排出される前にどんどん膨張し、血液の流れを止めて致命的な状態になるおそれがある。また、海面上に浮上するときには、深度と滞底時間の関係により、定められた減圧時間をかけて浮上しなければならない。
【０００３】
深度が浅い場合には、段階的に浮上しながら所定の水深で一定時間の滞在を繰り返すことにより海面まで浮上する。その他、水上減圧といって水中エレベータで水面まで浮上した後に、水上に待機した船上に設置された再圧タンクなどの減圧タンク(高気圧チャンバーともいう）内に入ってから、空気で加圧した状態から所定の時間をかけてゆっくりと減圧する方法がある。深度によっては、減圧に数日をかける場合がある。しかし、再圧タンク内は空気により加圧するために、酸素の濃度や分圧が大気圧下の空気環境に比べて高くなることがある。
【０００４】
ところで、再圧タンク内に何日も滞在して減圧したり、高気圧酸素治療を受けたりす  る場合、液晶テレビやパソコン用ディスプレイなどの表示装置を持ち込んで使用できれば、患者やタンク使用者にとって非常に便利である。
【０００５】
なお、上記のような高気圧酸素治療用の装置に関する先行技術として、高気圧チャンバー外に特殊構成の圧力設定弁を設け、これを作動するすることで調節したガス圧力を、拍帯のゴムのうに対して付与する構成とし、チャンバー内圧力をベースとして、圧力設定弁で調整した設定圧力が、これに重畳して制御されるようにし、チャンバー内の加圧、減圧による圧力変化中でも、血圧の測定を可能にした装置が提案されている（例えば、特許文献１参照）。
【０００６】
また、図３に示すように再圧タンク２１には通常、覗き窓が２１ａ設けられているので、その覗き窓２１ａを通じて再圧タンク２１の外に設置した液晶テレビなどの表示装置を再生タンク２１内に滞在する患者等は見ている。表示装置から発生する音声については低電力（３０Ｖ以下)のトランスミッターなどの無線機や通信機器を使用し、再圧タンク２１内に持ち込んだスピーカ(図示せず）などにより、聞くことができる。
【特許文献１】特許２６２７３７８号公報
【非特許文献１】海洋科学技術センター試験研究報告  第３６号  JAMSTECR  1997、11(63~64頁）
【発明の開示】
【発明が解決しようとする課題】
【０００７】
しかしながら、再圧タンク内では支燃性ガスである酸素の濃度や分圧が大気圧下の空気環境に比較して高くなる場合がある。再圧タンク内の酸素分圧は純酸素または高濃度酸素の添加により制御されるから、局所的に酸素濃度が高くなることがある。また、患者への酸素マスク装着面から再圧タンク内への酸素漏れがあるため、再圧タンク内の酸素濃度が上昇することがある。このようにして、再圧タンク内の酸素濃度が２５％を超えると、火災が発生しやすくなる。また、通常は空気より酸素濃度が低い高気圧環境下においても、酸素の濃度次第では完全燃焼が起こりうる。さらに、酸素濃度が一定でも、酸素分圧が上昇すれば、火災の拡がりが早くなる傾向があるは一般に知られている（例えば、非特許文献１参照）。
【０００８】
以上のように再圧タンク内は物が燃えやすい環境となっているため、再圧タンク内に持ち込める電気機器の電圧を３０Ｖ以下とするのが一般的となっている。したがって、再圧タンク内で治療を受ける期間に使用できると便利な、テレビなどの商用電源から交流１００Ｖの電力供給を受けて使用する電気機器の使用が制限されている。
【０００９】
本発明は上述の点に鑑みなされたもので、再圧タンク内などの酸素濃度の高い高気圧環境下において、商用電力を使用して液晶テレビやパソコン用ディスプレイなどの主に表示装置を使用する方法を提供しようとするものである。
【課題を解決するための手段】
【００１０】
上記の目的を達成するために本発明に係る高気圧環境下での表示装置使用方法は、高気圧環境下において、商用電力を使用して液晶テレビやパソコン用ディスプレイなどの主に表示装置を使用する方法であって、前記表示装置を、その画面が見える透明板を備え、透明又は透明に近い絶縁性液体を充填した容器内に全没して前記絶縁性液体の充填注入部を閉鎖するとともに、前記容器内に電源ケーブルを導入してその導入部を密封構造にして前記表示装置に商用電力を供給することを特徴としている。
【００１１】
上記の構成を有する本発明に係る表示装置使用方法は、特に酸素濃度の高い高圧環境下においても、商用電力を使用する表示装置が容器内に収容されており、しかも容器内には絶縁性液体が充填されているから、商用電圧である１００Ｖ以上の高電圧の部位(装置内であろうと電源ケーブルであろうとを、問わない)が酸素濃度や分圧が高い再圧タンク内の空気と接触することがない。したがって、電圧の高い部位から発熱して火災を起こすおそれがなく、安全に使用することができるから、特に液晶テレビのような表示装置を再圧タンク内に持ち込んで楽しむことができる。また、容器内に充填された絶縁性液体は透明に近く、また容器には透明板を備えているから、透明板を通して容器内の表示装置の画面を見ることができる。
【００１２】
請求項２に記載のように、前記表示装置が液晶テレビまたはパソコン用ディスプレイであってもよい。
【００１３】
請求項３に記載のように、前記容器が樹脂製または金属製の密閉構造からなる持ち運びが可能な容器で、その上面または上端面に外部との連通路を有することが好ましい。
【００１４】
このようにすれば、高気圧環境下であっても容器内と外部との圧力差が生じないから、容器自体の剛性を上げる必要がなく、軽量化を図れるので、持ち運びが容易である。しかも、容器は樹脂製または金属製の密閉構造にしたから、充填された絶縁性液体が容器から流出することがない。さらに、外部との連通路を容器の上面または上端面に配置したから、内部の絶縁性液体が連通路から漏れ出すおそれがない。
【００１５】
請求項４に記載のように、前記容器の一部をフレキシブルに変形可能な構造にするか、あるいは前記容器にフレキシブルに変形可能な中空体を接続するかすることが望ましい。
【００１６】
このようにすれば、容器内に空気（層）が残存している状態で絶縁性液体が容器内に注入されて充填されるとともに、表示装置を容器内の絶縁性液体に全没させ、注入部を閉鎖した状態で、容器が高気圧環境下に持ち込まれると、容器内の残存している空気（層）が圧縮される。このとき、全体的に変形しにくい容器の場合には圧縮された空気に対応する箇所が加圧力を受けて変形するおそれがあり、これを避けるためには、容器の剛性を全体的に高める必要がある。しかし、本請求項の容器の場合、容器の一部をフレキシブルに変形するようにしているので、容器の一部が変形することによって容器全体の変形が防止されるから、容器の剛性を高める必要がなくなる。こうした作用は、高気圧環境下から大気圧下に容器が持ち出され、容器内の空気が膨張するときにも同様に生じる。また、後者のように、容器の一部をフレキシブルに変形可能な構造にする代わりに、容器にフレキシブルに変形可能な、例えば蛇腹構造の中空体を接続することで、容器内の空気が圧縮されたときや逆に膨張したときに中空体が変形して吸収し容器の変形を防止するから、容器の剛性を高める必要がない。
【００１７】
請求項５に記載のように、前記酸素濃度の高い高気圧環境を高気圧酸素治療用タンク内に形成することができる。
【００１８】
このようにすれば、高気圧酸素治療用タンク内に長期間滞在し、高濃度の酸素を吸入することで、患者自身の治癒力を高めることができ、この治療の期間中はテレビなどの表示装置を見ながら、過ごすことができる。
【００１９】
請求項６に記載のように、前記容器内への商用電力やテレビ信号などの供給を、前記電源ケーブルやアンテナケーブルやフィーダ線を貫通金物またはコネクタを介して前記容器内に導入することにより行うことができる。
【００２０】
このようにすれば、商用電力供給用の電源ケーブルを貫通金物を通じて容器内に導入し、密閉状態になるように封入したり、あるいは容器のコネクタに電源ケーブルやアンテナケーブルやフィーダ線を接続したりすることによりコネクタを経由して容器内の表示装置に商用電力やテレビ信号などを密閉状態を保って供給することができる。
【００２１】
上記請求項１〜６に記載の使用方法を実施するための、高気圧環境下において、商用電力を使用して液晶テレビやパソコン用ディスプレイなどの主に表示装置を使用する表示装置使用方法を実施するための表示装置用容器は、請求項７に記載のように、
箱形容器の正面がほぼ全面にわたり透明板から形成され、その反対側の背面または側面あるいは上面のいずれかが前記表示装置を容器本体内に収容可能な開放部からなり、この開放部には密閉可能な蓋板を開閉可能にまたは着脱可能に備え、前記容器の上面または上端部に絶縁性液体の注入孔を設け、この注入孔には外部連通用小孔を設けた開閉キャップを開閉可能に取り付け、前記容器の適所に電源ケーブル、アンテナケーブルその他のケーブル類を内部に導入するための貫通金物あるいは前記ケーブル類接続用コネクタを装着し、前記容器の一部をフレキシブルに変形可能な構造にするか、あるいは前記容器にフレキシブルに変形可能な中空体を接続するかしたことを特徴としている。
【００２２】
上記の構成を有する本発明の請求項７に係る表示装置用容器によれば、商用電源を使用する例えば交流１００Ｖの高電圧で動作する表示装置を、特に酸素濃度や分圧の高い高気圧環境下で安全に使用できる。したがって、再圧タンクで例えば高気圧酸素治療を受ける場合に、テレビなどの表示装置を見ながら再圧タンク内で過ごすことができる。
【発明の効果】
【００２３】
本発明に係る高気圧環境下での表示装置使用方法と同使用方法を実施するための表示装置用容器には、次のような優れた効果がある。
【００２４】
・商用電力を使用する表示装置は容器内に入れられ、しかも容器内には絶縁性液体が充填されているから、商用電圧である１００Ｖ以上の高電圧の部位が酸素濃度や分圧が高く火災を起こしやすい再圧タンク内などの高気圧環境下で空気と接触することがない。このため、電圧の高い部位から発熱して火災を起こすおそれがなく、安全に使用することができるから、特に液晶テレビのような商用電源を使用する表示装置を再圧タンク内に持ち込んで楽しむことができる。また、容器内に充填された絶縁性液体は透明に近く、また容器には透明板を備えているから、透明板を通して容器内に収容した表示装置の画面を見ることができる。
【００２５】
・容器が樹脂製または金属製の密閉構造からなる持ち運びが可能な容器で、その上
面または上端面に高気圧環境下との連通路を設けることで、高気圧環境下であっても容器内と外部との圧力差がないから、容器自体の剛性を上げる必要がなく、軽量化を図れるので、持ち運びが容易である。しかも、容器は樹脂製または金属製の密閉構造にすることで、充填された絶縁性液体が容器から流出することがない。さらに、連通部を容器の上面または上端面に配置することで、内部の絶縁性液体が連通部から漏れ出すおそれがない。
【００２６】
・容器の一部をフレキシブルに変形可能な構造にするか、あるいは容器にフレキシブルに変形可能な中空体を接続するかすることで、容器内に空気（層）が残存している状態で絶縁性液体が容器内に注入充填されるとともに、表示装置を容器内の絶縁性液体に全没させ、注入部を閉鎖した状態で、容器を高気圧環境下に持ち込んだときに、容器内の残存している空気（層）が圧縮される。しかし、容器の一部が変形するか容器に接続される変形可能な中空体が変形することで、空気の圧縮に伴う容器の変形を吸収するので、容器全体の変形が防止されるから、容器全体の剛性を高める必要がない。
【００２７】
・表示装置用容器は、商用電源を使用する例えば交流１００Ｖの高電圧で動作する表示装置を、特に酸素濃度や分圧の高い高気圧環境下で安全に使用できるから、再圧タンクで例えば高気圧酸素治療を受ける場合に、テレビなどの表示装置を見ながら長期間わたって過ごせる。
【発明を実施するための最良の形態】
【００２８】
以下、本発明に係る高気圧環境下での表示装置使用方法と表示装置用容器について、実施の形態を図面に基づいて説明する。
【００２９】
図１は再圧タンク内に持ち込むための容器を示す、正面側から見た斜視図、図２は液晶テレビを組み込むために図１の容器の背面を開放した状態を示す、背面側から見た斜視図である。図３は再圧タンクの一例を示す斜視図で、一部を省略して表している。
【００３０】
図３に示すように、再圧タンク２１は高気圧酸素治療に用いられるもので、数人が再圧タンク２１内に入って治療を受けられる。再圧タンク２１内での治療は数日間に及ぶ場合があり、その期間は図２に示すような液晶テレビ２２を持ち込んで過ごすことができる。液晶テレビ２２は商用電源を使用する交流１００Ｖの電圧とする。なお、図３中の符号２１ｂは、再圧タンク２１の出入り用ハッチである。
【００３１】
図１・図２示すように、液晶テレビ２２を収納する容器１は硬質樹脂で形成され、本例では正面１ａおよび背面１ｂが正方形で、上面１ｃから底面１ｄに向けて幅が漸次拡がった台形状の両側面１ｅを備えている。正面１ａには略正方形状の窓２が設けられ、透明なガラス板または透明な樹脂板（透明板）３が装着されている。
【００３２】
一方、容器１の背面１ｂは全周にわたり一定幅の正方形状枠４を内向きに備え、正方形状の蓋板５を枠状のパッキン６を介して着脱可能な構造からなる。パッキン６および蓋板５の四隅角部には、止めネジ７用の貫通孔６ａが厚さ方向に貫通させて穿孔され、正方形状枠４の四隅角部に設けたネジ孔４ａに止めネジ７のネジ部を螺合して締め付けることにより、開放部８を密閉状態に閉塞できるようになっている。また、容器１の上面１ｃの一端部に、絶縁性液体の注入孔９ａが穿孔され、この注入孔９ａの周囲に円筒状孔壁が一体に上向きに突出させて設けられている。円筒状周壁の外周面にネジ部が形成され、このネジ部に螺合するネジ部を内周面に備えたネジ蓋９が着脱可能に装着される。ネジ蓋９の上面の中心部には、連通路としての小孔９ｂが穿孔されている。
【００３３】
容器１の一側面１ｅの下部で背面側に貫通金物１０が固設されている。その貫通金物１０を通して電源ケーブル１１やアンテナケーブル(図示せず)が密閉状態を保ったままで、容器１内に導入される。貫通金物１０は一側面１ｅの適所に貫通孔(図示せず)を穿孔した状態で、貫通孔(図示せず）内に嵌め込まれ、パッキン(図示せず）で密封される。
【００３４】
１２は円筒形の中空体で、この中空体１２の外周面１２ａは蛇腹状のフレキシブル壁からなり、全体が軟質樹脂で形成されている。中空体１２は樹脂製チューブ１３により容器１の一側面１ｅに形成された接続孔１４に接続されている。
【００３５】
以上のように構成された本実施形態に係る容器１には、蓋板５を取り外した状態で、開放部８から液晶テレビ２２が収納される。そして、貫通金物１０を通して電源ケーブル１１およびアンテナケーブルが容器１内に導入され、容器１内の液晶テレビ２２に接続される。この状態で、蓋板５がパッキン６を介して密閉状態に取り付けられる。この状態で、ネジ蓋９が取り外され、注入孔９ａからフッ素系不活性液体のフロリナート（スリーエムカンパニーの登録商標）または純水、絶縁油などの絶縁性液体が容器１内に注入され、満杯状態に充填される。このとき、容器１内の液晶テレビ２２は絶縁性液体としてのフロリナート中に完全に没入した状態となる。ここで、ネジ蓋９を注入孔９ａの孔壁に螺合して締め付けることにより注入孔９ａを閉鎖する。ネジ蓋９には外部連通用の小孔９ｂが設けられているので、再圧タンク２１内に容器１を持ち込んだ状態では、容器１の内圧と再生タンク２１内の圧力とが等しくなり、容器１に対して再圧タンク２１内の圧力は作用しない。なお、ネジ蓋9に小孔９ｂを設ける代わりに、容器１の上面に連通路を設けてもよく、この場合に連通路を迷路状に設ければ、容器１内に充填されたフロリナートが漏れ出しにくい。
【００３６】
また、容器１内に絶縁性液体であるフロリナートを充填した際に、容器１内に空気が残存することがある。この場合には上記したように、容器１を再圧タンク２１内に持ち込んだ高気圧環境下において、容器１内の残存空気が圧縮される。しかし、容器１には蛇腹壁１２ａを備えた中空体１２が接続され、中空体１２の内部にもフロリナート（絶縁性液体）が充填された状態で容器１内と連通しているから、残存空気の圧縮により容器１に無理な外圧が作用して歪みなどが生じようとしたときには、中空体１２が変形することにより容器１に作用しようとする外力が吸収されるので、容器１には無理な力が作用せず、歪みや変形などは生じない。なお、図示は省略するが、中空体１２を容器１に接続する代わりに、例えば容器１の一側面１ｅまたはその一部分をフレキシブルに変形しやすい柔軟な壁構造(軟質壁面）にすることで、同様に残存空気の圧縮により容器１に作用しようとする外力を容器１の一側面１ｅまたはその一部分だけの変形によって吸収し、容器１全体もしくは剛性部(硬質樹脂部）に変形や歪みなどが生じるのを防止することができる。このため、容器１全体を剛性のある硬質樹脂で製作する場合に比べて強度を大幅に低減できる。
【００３７】
さらに、容器１を再圧タンク２１内の高気圧環境下から運び出して大気圧環境下に移す場合にも、容器１内に空気が残存していると、空気は圧縮された状態から膨張し、容器１に圧縮時とは逆向きの外圧（負圧）が作用しようとする。しかし、この場合にも中空体１２の膨張あるいはフレキシブルに変形可能な一側面１ｅまたはその一部分の変形（膨出）によって外圧を吸収するので、容器１全体あるいはその剛性部(硬質樹脂部）に変形や歪みが生じるのが防止される。
【００３８】
上記に本発明に係る高気圧環境下での表示装置使用方法について実施形態を挙げて説明したが、以下のように実施することができる。
【００３９】
・液晶テレビ２２を容器１内に収容して使用するようにしたが、液晶テレビ２２以外の表示装置、例えばパソコン用ディスプレイであってもよく、容器１の形状は収容する装置の形状に応じて変えることができる。
【００４０】
・容器１は硬質樹脂製としたが、金属製であってもよい。
【００４１】
・容器１内への電源ケーブルやアンテナケーブルなどの導入を行うために、あらかじめ容器１の適所にコネクタをパッキン等を介して水密状態を保持できるように取り付けておくことにより、コネクタを経由して液晶テレビ２２などの表示装置に接続することができる。
【図面の簡単な説明】
【００４２】
【図１】本発明の表示装置使用方法を実施するための、再圧タンク内に持ち込むための容器を示す、正面側から見た斜視図である。
【図２】液晶テレビを組み込むために図１の容器の背面を開放した状態を示す、背面側から見た斜視図である。
【図３】再圧タンクの一例を示す外観の斜視図で、再生タンクの一部を省略して表している。
【符号の説明】
【００４３】
１  容器
１ａ容器１の正面
１ｂ容器１の背面
１ｃ容器１の上面
１ｄ容器１の底面
１e容器１の側面
２  窓
３  透明板（透明なガラス板または透明な樹脂板）
４  正方形状枠
５  蓋板
６  枠状のパッキン
６ａ貫通孔
７  止めネジ
８  開放部
９  ネジ蓋
９ａ注入孔
９ｂ小孔(連通部）
１０  貫通金物
１１  電源ケーブル
１２  円筒形の中空体
１３  樹脂製チューブ
１４  接続孔
２１  再圧タンク
２２  液晶テレビ
【図１】
2010145779.tif 000003
【図２】
2010145779.tif 000004
【図３】
2010145779.tif 000005